(57)【要約】      （修正有）【課題】床に立てて使用することも壁に掛けて使用することもできる両方タイプで、しかも壁に掛けて使用するときにも、本体の下部が上部より前側に斜めに突き出した状態とならない家具を提供する。【解決手段】脚部２５を閉じる方向へ回動させて折り畳むと、脚部２５の上段の横フレーム２９の上面は横桟１７の下面に対向する状態となる。更に、上段と下段の横フレーム２９，２９の表面はパネル４の裏面７と当接し、蝶番３１と脚部２５は収納部１９に完全に収納される。折り畳まれた姿見１の吊り紐２３を壁４１に取り付けられたフック（図示省略）に掛けると、本体３の裏面３ａは壁面４２と隙間なく当接し、姿見１は壁面４２と平行になり、姿見１を見栄えが良く備えることができる。【選択図】図２
0003124266.tif 000002
【実用新案登録請求の範囲】
【請求項１】
パネル状の本体と、前記本体の裏面側に回動自在に取り付けられた脚部と、前記本体を吊下げるための吊下げ手段とを有し、前記脚部を開いて脚部と本体とを床等に当接させて本体を立たせる立設状態と、前記吊下げ手段によって壁等に吊下げた吊下げ状態との両方に使用できる家具において、前記本体には脚部を閉じると本体の裏面から突出しない状態に収納できる収納部が設けられていることを特徴とする家具。
【請求項２】
請求項１に記載した家具において、家具は姿見であることを特徴とする家具。
【考案の詳細な説明】
【技術分野】
【０００１】
本考案は、姿見等の家具に係り、特に、床に立てて使用することも壁に掛けて使用することもできる家具に関するものである。
【背景技術】
【０００２】
図３に示すように、家具としての姿見５１は本体５２の表面５３にミラー５７が取り付けられている。
この姿見５１には、本体５２の裏面５５の比較的高い位置に、一対の紐通し金具５９が固定されており、この紐通し金具５９に吊り紐６１が通されている。
【０００３】
また、本体５２の裏面５５には脚部取付部６５が固定されており、この脚部取付部６５に脚部６３が蝶番６７を介して回動自在に連結されている。
本体５２の裏面５５と脚部６３とはストッパー金具６９とにより連結されている。このストッパー金具６９は脚部６３の回動動作に追従する。
【０００４】
この姿見５１を床に立たせる場合には、折畳まれた脚部６３を回動させて、ストッパー金具５９によりそれ以上の回動が規制されるまで開く。そして、本体５２の下端部と脚部６３の下端部とを床等に当接させ、本体５２が立つ立設状態とする。
また、壁に掛ける場合には、脚部６３を裏面５５に重なるように折り畳み、吊り紐６１を壁に取り付けられたフックなどに引っ掛けて、姿見５１を吊下げる吊下げ状態とする。
【考案の開示】
【考案が解決しようとする課題】
【０００５】
しかしながら、上記従来の姿見５１では、折畳み時に脚部６３が本体５２の裏面５５から突出した状態となる。
従って、脚部６３を折畳んだ状態で吊り紐６１を壁のフックなどに掛けると、脚部６３の厚み分だけ姿見５１の下部が上部より前側に斜めに突き出した状態となってしまい、不恰好で見栄えが悪い。
【０００６】
それ故、本考案は、上記した課題を解決するために、床に立てて使用することも壁に掛けて使用することもできる両方タイプで、しかも壁に掛けて使用するときにも、本体の下部が上部より前側に斜めに突き出した状態とならない家具を提供することを目的とする。
【課題を解決するための手段】
【０００７】
上記課題を解決するために、請求項１の考案は、パネル状の本体と、前記本体の裏面側に回動自在に取り付けられた脚部と、前記本体を吊下げるための吊下げ手段とを有し、前記脚部を開いて脚部と本体とを床等に当接させて本体を立たせる立設状態と、前記吊下げ手段によって壁等に吊下げた吊下げ状態との両方に使用できる家具において、前記本体には脚部を閉じると本体の裏面から突出しない状態に収納できる収納部が設けられていることを特徴とする家具である。
【０００８】
請求項２の考案は、請求項１に記載した家具において、家具は姿見であることを特徴とする家具である。
【考案の効果】
【０００９】
本考案の家具は、床に立てて使用することも壁に掛けて使用することもできる両方タイプで、しかも壁に掛けて使用するときにも本体の下部が上部より前側に斜めに突き出した状態とならず、壁に平行に掛けることができて見栄えが良い。
【考案を実施するための最良の形態】
【００１０】
本考案の実施の形態に係る家具としての姿見１を、図１〜図２に従って説明する。
本体３は長方形のパネル４と後述する枠体１１とによって構成されている。
パネル４の表面５側にはミラー（鏡）９が取り付けられており、また、パネル４の裏面には、その全縁に沿って枠体１１が設けられている。この枠体１１の裏面（図２において右側の面）が本体３の裏面３ａになる。
枠体１１は一対の縦枠体１３，１３と一対の横枠体１５，１５とからなり、厚み寸法（ｔ１）だけパネル４の裏面７から突出している。
【００１１】
符号１７は横桟を示し、この横桟１７は一対の縦枠体１３，１３の略中間の位置で架け渡されている。この横桟１７の厚み寸法（ｔ２）は枠体１１の突出分の厚み寸法（ｔ１）より小さくなっている。
横桟１７によって枠体１１が、枠体１１とパネル４の裏面７とで画定された凹部が上下２つに分割されており、その下半分は後述する脚部２５の収納部１９となっている。
【００１２】
符号２１，２１は紐通し金具を示し、この紐通し金具２１，２１は、縦枠体１３，１３の対向する内側面１４，１４上にそれぞれネジ止めされて固定されている。紐通し金具２１，２１は、横桟１７より上に配置されている。紐通し金具２１には吊り紐２３が挿通されており、図示を省略するが、吊り紐２３の両端部で結ばれて無端ループ状になっている。
これら紐通し金具２１，２１と吊り紐２３とによって吊下げ手段が構成されている。
【００１３】
符号２５は脚部を示し、この脚部２５は一対の縦フレーム２７，２７と、一対の横フレーム２９，２９とからなり、角形フレーム状をなしている。
脚部２５は、収納部１９に収納された状態では、上段の横フレーム２９が横桟１７に当接し、下段の横フレーム２９と横枠体１５との間には若干の隙間があけられている。
脚部２５をなす縦フレーム２７，２７と横フレーム２９，２９の厚み寸法（ｔ３）は横桟１７の厚み寸法（ｔ２）と同じに設定されている。
【００１４】
符号３１，３１は蝶番を示し、それぞれの蝶番３１は横桟１７と横フレーム２９とにネジ止めされている。この蝶番３１を介して脚部２５が横桟１７と回動自在に連結されている。
【００１５】
符号３３は一対のストッパー金具を示し、それぞれのストッパー金具３３の一端は縦枠体１３の内側面に回動自在に取り付けられ、他端が脚部２５の外側面２８に回動自在に取り付けられている。
ストッパー金具３３は２つのストッパー片３５，３７を有し、ストッパー片３５，３７は連結ピン３９により互いに回動自在に連結されている。
ストッパー片３５は細い平板が二段階にわたった屈曲された階段状をなしている。ストッパー片３５の最大幅寸法（ｗ）は横桟１７の厚み寸法（ｔ２）よりも小さく設定されている。またストッパー片３７は細長い平板状をなしており、ストッパー片３５と同じ最大幅寸法（ｗ）を有している。
【００１６】
ストッパー金具３３は脚部２５の回動に追従して回動し、脚部２５が開かれると、連結ピン３９を中心としてストッパー片３５とストッパー片３７とが離隔する方向に回動する。そして、ストッパー片３５とストッパー片３７が一直線状になると、脚部２５のそれ以上の展開は規制される。
一方、脚部２５が折り畳まれる場合には、連結ピン３９を中心としてストッパー片３５とストッパー片３７とが近接して重なる方向に回動する。そして、ストッパー片３５とストッパー片３７が一直線状になると、脚部２５の折畳みは完了する。折畳み時には、ストッパー金具３３は収納部１９に完全に収納される。
【００１７】
以下に、姿見１の使用方法について説明する。
姿見１を床に立てる場合には、脚部２５を回動が規制されるまで開いた後に、本体３の下段の横枠体１５と脚部２５とを床等に当接させ、本体３が立つ立設状態とする。
図１に示すように、ストッパー金具３３により脚部２５はこれ以上開かないように規制されているので、姿見１は床面上に安定的に立設する。
【００１８】
上記立設状態で使用されていた姿見１を壁４１に掛ける場合に、脚部２５を閉じる方向へ回動させて折り畳む。折畳み時には、図２に示すように、脚部２５の上段の横フレーム２９の上面は横桟１７の下面に対向する状態となる。更に、上段と下段の横フレーム２９，２９の表面はパネル４の裏面７と当接する。
この状態では、蝶番３１と脚部２５は収納部１９に完全に収納されており、本体３の裏面３ａから突出しない。また、ストッパー金具３３も縦枠体１３にほぼ平行になるように折り畳まれて、収納部１９に完全に収納される。
【００１９】
上記のように折り畳まれた姿見１の吊り紐２３を壁４１に取り付けられたフック（図示省略）に掛ける。このとき使用するフックは、壁面４２からに突出する寸法が枠体１１の厚み寸法（ｔ１）より小さい。そのため、フックに吊り紐２３を掛けると、そのフックも収納部１９に完全に収納される。
従って、姿見１を吊り紐２３を介して壁４１に掛けた場合には、本体３の裏面３ａは壁面４２と隙間なく当接し、姿見１は壁面４２と平行になり、姿見１を見栄えが良く備えることができる。
【００２０】
以上、本考案の実施の形態を説明したが、本考案の具体的構成が上記の実施の形態に限定されるものではなく、本考案の要旨から外れない範囲での設計変更があっても本考案に含まれる。
例えば、家具は姿身には限定されない。
また、紐通し金具の設置場所は枠体の内側面に限定されず、例えば、上段の横枠体の上に取り付けてもよい。
いずれにしても、実用新案登録請求されている形状等を除いては、従来からあるまたは将来案出される形状等を任意に組み合わせることができる。
【産業上の利用可能性】
【００２１】
本考案の家具は、床に立たせていたものをスペース等の理由で壁に掛け替えても見栄えが良く、ライフスタイルの変化にスマートに対応できる。従って、安易な買い替えを控えたいが、見栄えも気にする消費者のニーズに対応することができる。
【図面の簡単な説明】
【００２２】
【図１】本考案の実施の形態に係る姿見の斜視図である。
【図２】図１の姿見の断面図である。
【図３】従来の姿見の斜視図である。
【符号の説明】
【００２３】
１‥‥姿見                          ３‥‥本体
３ａ‥‥本体の裏面                  ４‥‥パネル
５‥‥表面                          ７‥‥裏面
９‥‥ミラー                      １１‥‥枠体
１３‥‥縦枠体                      １４‥‥内側面
１５‥‥横枠体                      １７‥‥横桟
１９‥‥収納部                      ２１‥‥紐通し金具
２３‥‥吊り紐                      ２５‥‥脚部
２７‥‥縦フレーム                  ２８‥‥外側面
２９‥‥横フレーム                  ３１‥‥蝶番
３３‥‥ストッパー金具              ３５，３７‥‥ストッパー片
３９‥‥連結ピン                    ４１‥‥壁
４２‥‥壁面
ｔ１‥‥枠体の突出部分の厚み寸法
ｔ２‥‥横桟の厚み寸法
ｔ３‥‥脚部の厚み寸法
ｗ‥‥ストッパー金具の最大幅寸法
【図１】
0003124266.tif 000003
【図２】
0003124266.tif 000004
【図３】
0003124266.tif 000005